(57)【要約】【課題】キャッチ機構のキャッチとキャッチレバーの動作の安定性を向上させる。【解決手段】実施形態の開閉装置操作機構は、支持構造体６、投入シャフト７、遮断ばね８、投入ばね９を蓄勢する蓄勢機構１０、開閉装置の接点３１と連動するメインレバー１１、メインレバー１１に係合するリンク機構３０、遮断ばね８を蓄勢及び放勢可能にするダンパー３２、遮断ばねリンク２６、サブシャフト１２に固定されたサブレバー１３、サブレバー１３とメインレバー１１を連結する主副連結リンク１４、カムレバー１５に接触してサブシャフト１２を揺動させる投入カム１６、ラッチレバー１７に取り付けられたローラピン１７ａ、回転可能に配設されたラッチ１８、ラッチ復帰ばね１９、ストッパを有したオープロップ２０、投入レバー２４と投入ばね９を連結する投入リンク２５、遮断レバーキャッチ機構４０−１および投入レバーキャッチ機構４０―２を備える。【選択図】図１
2015050012.tif 000002
【特許請求の範囲】
【請求項１】
開閉装置の接点を投入状態および遮断状態に移行させることができる開閉装置操作機構であって、
支持構造体と、
前記支持構造体に対して回転可能なように設置された投入シャフトと、
前記開閉装置が遮断状態から投入状態に移行するときに、前記投入シャフトの回転と共に蓄勢され、投入状態から遮断状態に移行するときに放勢されるように配置された遮断ばねと、
前記開閉装置が遮断状態から投入状態に移行するときに放勢される投入ばねと、
前記投入ばねを蓄勢するため前記投入シャフトに固定された蓄勢機構と、
前記投入シャフトに回転自在に固定され、前記開閉装置の前記接点と連動するメインレバーと、
前記メインレバーの先端に回転自在に係合するリンク機構と、
前記遮断ばねを蓄勢および放勢可能なように前記遮断ばねの終端部に取り付けられたダンパーと、
一端が前記ダンパーに固着され、他端が前記メインレバーに回転自在に取り付けられた遮断ばねリンクと、
前記投入シャフトと平行に前記支持構造体に対して回転可能に設置されたサブシャフトと、
前記サブシャフトに固定されたサブレバーと、
前記サブレバーと前記メインレバーを互いに連結する主副連結リンクと、
前記サブレバーと平行な位置に前記サブシャフトに固定されたカムレバーと、
前記投入シャフトの回転に応じて前記カムレバーに接触して前記サブシャフトを揺動させる投入カムと、
前記サブシャフトに固定されたラッチレバーと、
前記ラッチレバーの先端に取り付けられたローラピンと、
前記支持構造体に対して前記投入シャフトの回転軸にほぼ平行な回転軸の周りを回転可能なように配設されたラッチと、
前記ラッチを所定の向きに回転するように付勢するラッチ復帰ばねと、
前記ラッチの前記ラッチ復帰ばね付勢方向への回転を制限するためにストッパを有したオープロップと、
投入状態から遮断状態に移行する際には、前記オープロップとの係合を外して前記オープロップを回転させ、前記オープロップに連結された前記ラッチを回転させることで前記ラッチと前記ローラピンとの係合を外し、前記サブシャフト、前記メインレバーを介して前記遮断ばねを放勢するように前記投入シャフトと平行かつ前記支持構造体に対して回転可能に取り付けられた遮断キャッチと、
前記遮断キャッチに取り付けられた遮断キャッチレバーと、
前記遮断キャッチに前記遮断キャッチレバーを固定する遮断キャッチピンと、
遮断操作時に前記遮断キャッチレバーを押し、前記遮断キャッチを回転させて前記オープロップと前記遮断キャッチと係合を外し、前記遮断ばねを放勢するための遮断用電磁ソレノイドと、
前記投入シャフトに固定された投入レバーと、
前記投入レバーと前記投入ばねを連結する投入リンクと、
前記投入レバーと係合させて前記投入ばねのエネルギーを保持し、遮断状態から投入状態に移行する際には、前記投入レバーとの係合を外して前記投入レバーを介して前記投入シャフトを回転せしめるように前記投入シャフトと平行かつ前記支持構造体に対して回転可能に配設された投入キャッチと、
前記投入キャッチに取り付けられた投入キャッチレバーと、
前記投入キャッチに前記投入キャッチレバーを固定する投入キャッチピンと、
投入操作時に前記投入キャッチレバーを押し、前記投入キャッチを回転させて前記投入レバーとの係合を外し、前記投入ばねを放勢するための投入用電磁ソレノイドと、を備え、
前記遮断キャッチレバーは中空の筒状に形成され、前記中空の筒状の外表面の中央部の一端にレバーが取り付けられ、前記遮断キャッチレバーには前記中空の筒状の肉厚を貫通するように所定の径の第１孔が設けられ、かつ、前記遮断キャッチには前記所定の径と同一径の第２孔が設けられて、前記遮断キャッチの前記第２孔を含む端部が前記遮断キャッチレバーの前記中空に嵌装されて前記第１孔および前記第２孔を連通させて前記遮断キャッチピンにより固定され、
前記投入キャッチレバーは中空の筒状に形成され、前記中空の筒状の外表面の中央部の一端にレバーが取り付けられ、前記投入キャッチレバーには前記中空の筒状の肉厚を貫通するように所定の径の第３孔が設けられ、かつ、前記投入キャッチには前記所定の径と同一径の第４孔が設けられて、前記投入キャッチの前記第３孔を含む端部が前記投入キャッチレバーの前記中空に嵌装されて前記第３孔および前記第４孔を連通させて前記投入キャッチピンにより固定された
ことを特徴とする開閉装置操作機構。
【請求項２】
前記第２孔は前記遮断キャッチを貫通するように設けられ、前記第４孔は前記投入キャッチを貫通するように設けられた
ことを特徴とする請求項１に記載の開閉装置操作機構。
【請求項３】
前記遮断キャッチピンは、周囲に弾性を有した前記所定の径よりも大きい径であり、前記第１孔および前記第２孔に前記遮断キャッチピンが圧入されて固定された
ことを特徴とする請求項２に記載の開閉装置操作機構。
【請求項４】
前記投入キャッチピンは、周囲に弾性を有した前記所定の径よりも大きい径であり、前記第３孔および前記第４孔に前記投入キャッチピンが圧入されて固定された
ことを特徴とする請求項２または請求項３に記載の開閉装置操作機構。
【請求項５】
前記前記遮断キャッチピンおよび前記投入キャッチピンは、各々の長手方向の両端部が所定の圧力によって変形可能とされている
ことを特徴とする請求項１に記載の開閉装置操作機構。
【請求項６】
前記第２孔は前記遮断キャッチを貫通しないように設けられ、前記第４孔は前記投入キャッチを貫通しないように設けられた
ことを特徴とする請求項１に記載の開閉装置操作機構。
【請求項７】
前記第１孔および前記第２孔の組み合わせが複数設けられ、または、前記第３孔および前記第４孔の組み合わせが複数設けられ、当該複数設けられたそれぞれに前記遮断キャッチピンまたは前記投入キャッチピンを固定した
ことを特徴とする請求項１ないし請求項６のいずれか一項に記載の開閉装置操作機構。
【請求項８】
接続される回路を投入状態および遮断状態に移行できる接点と、
支持構造体と、
前記支持構造体に対して回転可能なように設置された投入シャフトと、
前記開閉装置が遮断状態から投入状態に移行するときに、前記投入シャフトの回転と共に蓄勢され、投入状態から遮断状態に移行するときに放勢されるように配置された遮断ばねと、
前記開閉装置が遮断状態から投入状態に移行するときに放勢される投入ばねと、
前記投入ばねを蓄勢するため前記投入シャフトに固定された蓄勢機構と、
前記投入シャフトに回転自在に固定され、前記開閉装置の前記接点と連動するメインレバーと、
前記メインレバーの先端に回転自在に係合するリンク機構と、
前記遮断ばねを蓄勢および放勢可能なように前記遮断ばねの終端部に取り付けられたダンパーと、
一端が前記ダンパーに固着され、他端が前記メインレバーに回転自在に取り付けられた遮断ばねリンクと、
前記投入シャフトと平行に前記支持構造体に対して回転可能に設置されたサブシャフトと、
前記サブシャフトに固定されたサブレバーと、
前記サブレバーと前記メインレバーを互いに連結する主副連結リンクと、
前記サブレバーと平行な位置に前記サブシャフトに固定されたカムレバーと、
前記投入シャフトの回転に応じて前記カムレバーに接触して前記サブシャフトを揺動させる投入カムと、
前記サブシャフトに固定されたラッチレバーと、
前記ラッチレバーの先端に取り付けられたローラピンと、
前記支持構造体に対して前記投入シャフトの回転軸にほぼ平行な回転軸の周りを回転可能なように配設されたラッチと、
前記ラッチを所定の向きに回転するように付勢するラッチ復帰ばねと、
前記ラッチの前記ラッチ復帰ばね付勢方向への回転を制限するためにストッパを有したオープロップと、
投入状態から遮断状態に移行する際には、前記オープロップとの係合を外して前記オープロップを回転させ、前記オープロップに連結された前記ラッチを回転させることで前記ラッチと前記ローラピンとの係合を外し、前記サブシャフト、前記メインレバーを介して前記遮断ばねを放勢するように前記投入シャフトと平行かつ前記支持構造体に対して回転可能に取り付けられた遮断キャッチと、
前記遮断キャッチに取り付けられた遮断キャッチレバーと、
前記遮断キャッチに前記遮断キャッチレバーを固定する遮断キャッチピンと、
遮断操作時に前記遮断キャッチレバーを押し、前記遮断キャッチを回転させて前記オープロップと前記遮断キャッチと係合を外し、前記遮断ばねを放勢するための遮断用電磁ソレノイドと、
前記投入シャフトに固定された投入レバーと、
前記投入レバーと前記投入ばねを連結する投入リンクと、
前記投入レバーと係合させて前記投入ばねのエネルギーを保持し、遮断状態から投入状態に移行する際には、前記投入レバーとの係合を外して前記投入レバーを介して前記投入シャフトを回転せしめるように前記投入シャフトと平行かつ前記支持構造体に対して回転可能に配設された投入キャッチと、
前記投入キャッチに取り付けられた投入キャッチレバーと、
前記投入キャッチに前記投入キャッチレバーを固定する投入キャッチピンと、
投入操作時に前記投入キャッチレバーを押し、前記投入キャッチを回転させて前記投入レバーとの係合を外し、前記投入ばねを放勢するための投入用電磁ソレノイドと、を備え、
前記遮断キャッチレバーは中空の筒状に形成され、前記中空の筒状の外表面の中央部の一端にレバーが取り付けられ、前記遮断キャッチレバーには前記中空の筒状の肉厚を貫通するように所定の径の第１孔が設けられ、かつ、前記遮断キャッチには前記所定の径と同一径の第２孔が設けられて、前記遮断キャッチの前記第２孔を含む端部が前記遮断キャッチレバーの前記中空に嵌装されて前記第１孔および前記第２孔を連通させて前記遮断キャッチピンにより固定され、
前記投入キャッチレバーは中空の筒状に形成され、前記中空の筒状の外表面の中央部の一端にレバーが取り付けられ、前記投入キャッチレバーには前記中空の筒状の肉厚を貫通するように所定の径の第３孔が設けられ、かつ、前記投入キャッチには前記所定の径と同一径の第４孔が設けられて、前記投入キャッチの前記第３孔を含む端部が前記投入キャッチレバーの前記中空に嵌装されて前記第３孔および前記第４孔を連通させて前記投入キャッチピンにより固定された
ことを特徴とする開閉装置。
【請求項９】
開閉装置の接点を投入状態および遮断状態に移行させることができる開閉装置操作機構であって、
支持構造体と、
前記支持構造体に対して回転可能なように設置された投入シャフトと、
前記開閉装置が遮断状態から投入状態に移行するときに、前記投入シャフトの回転と共に蓄勢され、投入状態から遮断状態に移行するときに放勢されるように配置された遮断ばねと、
前記開閉装置が遮断状態から投入状態に移行するときに放勢される投入ばねと、
前記投入ばねを蓄勢するため前記投入シャフトに固定された蓄勢機構と、
前記投入シャフトに回転自在に固定され、前記開閉装置の前記接点と連動するメインレバーと、
前記メインレバーの先端に回転自在に係合するリンク機構と、
前記遮断ばねを蓄勢および放勢可能なように前記遮断ばねの終端部に取り付けられたダンパーと、
一端が前記ダンパーに固着され、他端が前記メインレバーに回転自在に取り付けられた遮断ばねリンクと、
前記投入シャフトと平行に前記支持構造体に対して回転可能に設置されたサブシャフトと、
前記サブシャフトに固定されたサブレバーと、
前記サブレバーと前記メインレバーを互いに連結する主副連結リンクと、
前記サブレバーと平行な位置に前記サブシャフトに固定されたカムレバーと、
前記投入シャフトの回転に応じて前記カムレバーに接触して前記サブシャフトを揺動させる投入カムと、
前記サブシャフトに固定されたラッチレバーと、
前記ラッチレバーの先端に取り付けられたローラピンと、
前記支持構造体に対して前記投入シャフトの回転軸にほぼ平行な回転軸の周りを回転可能なように配設されたラッチと、
前記ラッチを所定の向きに回転するように付勢するラッチ復帰ばねと、
前記ラッチの前記ラッチ復帰ばね付勢方向への回転を制限するためにストッパを有したオープロップと、
投入状態から遮断状態に移行する際には、前記オープロップとの係合を外して前記オープロップを回転させ、前記オープロップに連結された前記ラッチを回転させることで前記ラッチと前記ローラピンとの係合を外し、前記サブシャフト、前記メインレバーを介して前記遮断ばねを放勢するように前記投入シャフトと平行かつ前記支持構造体に対して回転可能に取り付けられた遮断キャッチと、
前記遮断キャッチに取り付けられた遮断キャッチレバーと、
前記遮断キャッチに前記遮断キャッチレバーを固定する遮断キャッチピンと、
遮断操作時に前記遮断キャッチレバーを押し、前記遮断キャッチを回転させて前記オープロップと前記遮断キャッチと係合を外し、前記遮断ばねを放勢するための遮断用電磁ソレノイドと、
前記投入シャフトに固定された投入レバーと、
前記投入レバーと前記投入ばねを連結する投入リンクと、
前記投入レバーと係合させて前記投入ばねのエネルギーを保持し、遮断状態から投入状態に移行する際には、前記投入レバーとの係合を外して前記投入レバーを介して前記投入シャフトを回転せしめるように前記投入シャフトと平行かつ前記支持構造体に対して回転可能に配設された投入キャッチと、
前記投入キャッチに取り付けられた投入キャッチレバーと、
前記投入キャッチに前記投入キャッチレバーを固定する投入キャッチピンと、
投入操作時に前記投入キャッチレバーを押し、前記投入キャッチを回転させて前記投入レバーとの係合を外し、前記投入ばねを放勢するための投入用電磁ソレノイドと、を備え、
前記遮断キャッチと前記遮断キャッチレバー、あるいは、前記投入キャッチと前記投入キャッチレバーの少なくともいずれかが一体構造である
ことを特徴とする開閉装置操作機構。
【請求項１０】
接続される回路を投入状態および遮断状態に移行できる接点と、
支持構造体と、
前記支持構造体に対して回転可能なように設置された投入シャフトと、
前記開閉装置が遮断状態から投入状態に移行するときに、前記投入シャフトの回転と共に蓄勢され、投入状態から遮断状態に移行するときに放勢されるように配置された遮断ばねと、
前記開閉装置が遮断状態から投入状態に移行するときに放勢される投入ばねと、
前記投入ばねを蓄勢するため前記投入シャフトに固定された蓄勢機構と、
前記投入シャフトに回転自在に固定され、前記開閉装置の前記接点と連動するメインレバーと、
前記メインレバーの先端に回転自在に係合するリンク機構と、
前記遮断ばねを蓄勢および放勢可能なように前記遮断ばねの終端部に取り付けられたダンパーと、
一端が前記ダンパーに固着され、他端が前記メインレバーに回転自在に取り付けられた遮断ばねリンクと、
前記投入シャフトと平行に前記支持構造体に対して回転可能に設置されたサブシャフトと、
前記サブシャフトに固定されたサブレバーと、
前記サブレバーと前記メインレバーを互いに連結する主副連結リンクと、
前記サブレバーと平行な位置に前記サブシャフトに固定されたカムレバーと、
前記投入シャフトの回転に応じて前記カムレバーに接触して前記サブシャフトを揺動させる投入カムと、
前記サブシャフトに固定されたラッチレバーと、
前記ラッチレバーの先端に取り付けられたローラピンと、
前記支持構造体に対して前記投入シャフトの回転軸にほぼ平行な回転軸の周りを回転可能なように配設されたラッチと、
前記ラッチを所定の向きに回転するように付勢するラッチ復帰ばねと、
前記ラッチの前記ラッチ復帰ばね付勢方向への回転を制限するためにストッパを有したオープロップと、
投入状態から遮断状態に移行する際には、前記オープロップとの係合を外して前記オープロップを回転させ、前記オープロップに連結された前記ラッチを回転させることで前記ラッチと前記ローラピンとの係合を外し、前記サブシャフト、前記メインレバーを介して前記遮断ばねを放勢するように前記投入シャフトと平行かつ前記支持構造体に対して回転可能に取り付けられた遮断キャッチと、
前記遮断キャッチに取り付けられた遮断キャッチレバーと、
前記遮断キャッチに前記遮断キャッチレバーを固定する遮断キャッチピンと、
遮断操作時に前記遮断キャッチレバーを押し、前記遮断キャッチを回転させて前記オープロップと前記遮断キャッチと係合を外し、前記遮断ばねを放勢するための遮断用電磁ソレノイドと、
前記投入シャフトに固定された投入レバーと、
前記投入レバーと前記投入ばねを連結する投入リンクと、
前記投入レバーと係合させて前記投入ばねのエネルギーを保持し、遮断状態から投入状態に移行する際には、前記投入レバーとの係合を外して前記投入レバーを介して前記投入シャフトを回転せしめるように前記投入シャフトと平行かつ前記支持構造体に対して回転可能に配設された投入キャッチと、
前記投入キャッチに取り付けられた投入キャッチレバーと、
前記投入キャッチに前記投入キャッチレバーを固定する投入キャッチピンと、
投入操作時に前記投入キャッチレバーを押し、前記投入キャッチを回転させて前記投入レバーとの係合を外し、前記投入ばねを放勢するための投入用電磁ソレノイドと、を備え、
前記遮断キャッチと前記遮断キャッチレバー、あるいは、前記投入キャッチと前記投入キャッチレバーの少なくともいずれかが一体構造である
ことを特徴とする開閉装置。
【発明の詳細な説明】
【技術分野】
【０００１】
本実施形態は、開閉装置操作機構および開閉装置に関する。
【背景技術】
【０００２】
電力系統において回路の投入遮断を行う機器に開閉装置がある。その開閉装置の機器の一つであるガス遮断器は、特に系統の短絡電流のような大電流を遮断する能力が要求される。このとき、大電流遮断を行うために、高圧の消弧性ガスをアークに吹付けながら高速で接点を開路する性能が必要となる。このような接点駆動を可能にする開閉装置操作機構の一つとして、ばね操作機構がある。
【０００３】
ばね操作機構は、ガス遮断器の投入動作の際に放勢され、ばね操作機構を投入方向に駆動する投入ばねと、遮断操作を行う際に放勢され、ばね操作機構を遮断方向に駆動する遮断ばねが具備されている。特に、投入ばねは、ばね操作機構の蓄勢機構により圧縮され、遮断ばねは投入ばねのエネルギーをもって蓄勢されるように構成されている。またこれらのばねエネルギーを保持し、ガス遮断器を駆動する際にばねエネルギーを解放するための部品として、キャッチが備えられている。キャッチ部は、キャッチとキャッチに固定されたキャッチレバーから成り、ガス遮断器を駆動する際はキャッチレバーを電磁ソレノイドで動かしてキャッチを回転させ、キャッチによって保持されたばねエネルギーを解放することによって動作させる。
【０００４】
なお、開閉装置の操作機構であって、開閉接点駆動装置は、支持構造体に回転可能に配置され開閉装置の開閉接点に連結されるメインレバーと、メインレバーに連結されたエネルギー蓄勢手段と、支持構造体に回転可能に支持されメインレバーと投入カムを介して接離可能に配置された投入レバーと、投入レバーに連結されたエネルギー蓄勢手段とを有し、保持装置は支持構造体に回転可能に支持されエネルギー蓄勢手段のエネルギーを保持する係止レバーを有し、蓄勢装置は駆動源となる電動機と投入レバーを回動させる減速機を有し、保持制御装置は支持構造体上に配置され係止レバーを回動させる電磁ソレノイドと手動ボタンを有し、補助接点装置は支持構造体上に配置され前記メインレバーとリンクにより回動自在に連結される接点群を有し、状態表示装置は支持構造体上に配置されたメインレバーとリンクにより回動自在に連結される入切表示用の表示レバーを有し、支持構造体は蓄勢装置の電動機と保持制御装置と補助接点装置と状態表示装置の集合体をほぼ同一面上に集中配置する取付面を２面備えることが知られている。
【０００５】
また、開閉装置の操作機構において、ラッチレバーの先端に取り付けられたローラピンと、ソレノイドレバーと、ソレノイドレバーの回転軸と異なる位置でソレノイドレバー上の回転軸の周りを回転してローラピンと係合する先端部を有するラッチと、を有し、投入状態から遮断状態に移行するときに、ソレノイドレバーがソレノイドレバー復帰ばねの付勢の向きと逆方向に回転するように遮断用電磁ソレノイドによりソレノイドレバーが押されて回転し、ローラピンからの付勢力によりラッチレバーが回転し、ローラピンとラッチの先端部の係合が外れて、遮断ばねの放勢によりラッチレバーが回転することが知られている。
【先行技術文献】
【特許文献】
【０００６】
【特許文献１】特許第４７７６４２５号公報
【特許文献２】特開２０１１−７６７６６号公報
【発明の概要】
【発明が解決しようとする課題】
【０００７】
ガス遮断器のばね操作機構はミリ秒オーダの動作を必要とするため、運動を伝搬する部品に高い応答性と安定性が要求される。この性能を左右する一つの要素がキャッチ部である。このキャッチ部は、ソレノイドの励磁によりシャフトが動き、キャッチレバーを押すことでキャッチが回転して、ばねエネルギーを保持しているキャッチとキャッチレバーの係合が外れることでばねエネルギーを解放し、遮断器を動作させる。
【０００８】
前述したようなガス遮断器のばね操作機構において、このキャッチ部はキーにてキャッチとキャッチレバーとを係合しているが、キー周囲にできる部品同士の隙間や繰り返し動作により生じる各部品の衝突による馴染みや、キーのヘタリ（消耗）によってガタが生じ、ばね操作機構の動作の安定性が悪くなって行くという課題があった。
【０００９】
ばね操作機構は、アークを消弧するために非常に高速で動作すること、多数回の動作に耐えること、電力系統は三相で構成されるため三相のガス遮断器を同じタイミングで動作させることができるといった技術的要求を満たす必要があった。
【００１０】
これら耐久性や正確性といった技術的要求を満たした動作を行うためには、ばね操作機構を構成する部品を正確に動作させる必要がある。特に、キャッチ機構を構成するキャッチとキャッチレバーは、ばね機構を駆動する部位であるため高い安定性が求められる。
【００１１】
例えば、図１５に示すようなキャッチ機構４００により、キー３３０でキャッチレバー３００を固定するのが一般的である。図１５の構成によれば、半円筒部１０１を有するキャッチ１００と、キャッチレバー３００とは別部品（一体構造でない部品）である。キャッチ１００の半円筒部１０１とキャッチレバー３００との固定は、キー３３０の嵌め込みによりなされる。
【００１２】
キャッチ１００の半円筒部１０１に、例えば図示しない投入レバーが係合しているとする。この状態で、キャッチレバー３００が電磁ソレノイド２のプランジャ２ａに押されると、キャッチ１００の半円筒部１０１と投入レバーとの係合が外れる。
【００１３】
以上のようなキャッチ機構４００の構造では、キー３３０とキャッチ１００、キャッチレバー３００と間に微小な隙間があり、さらに多数回動作させた際のキー３３０やキー溝のヘタリによって、キャッチ１００とキャッチレバー３００との間のガタが大きくなってしまうため、開閉操作を繰り返すうちに動作安定性が悪くなってしまうという課題があった。
【００１４】
また、キャッチ１００とキャッチレバー３００に精度の高いキー溝を加工し、また、これに嵌め込まれるキー３３０も精度の高い加工を必要としていた。このため、キャッチ機構４００における加工工程が長くなり、キャッチ機構４００の製造コストが高くなるという課題があった。
【００１５】
本発明が解決しようとする課題は、多数回動作を行ってもキャッチ機構を構成するキャッチおよびキャッチレバーの動作安定性を向上させた開閉装置操作機構および開閉装置を提供することである。
【課題を解決するための手段】
【００１６】
上記課題を解決するため、一つの実施形態の開閉装置操作機構は、開閉装置の接点を投入状態および遮断状態に移行させることができる開閉装置操作機構である。当該開閉装置操作機構は、支持構造体と、前記支持構造体に対して回転可能なように設置された投入シャフトと、前記開閉装置が遮断状態から投入状態に移行するときに、前記投入シャフトの回転と共に蓄勢され、投入状態から遮断状態に移行するときに放勢されるように配置された遮断ばねと、前記開閉装置が遮断状態から投入状態に移行するときに放勢される投入ばねと、前記投入ばねを蓄勢するため前記投入シャフトに固定された蓄勢機構と、前記投入シャフトに回転自在に固定され、前記開閉装置の前記接点と連動するメインレバーと、前記メインレバーの先端に回転自在に係合するリンク機構と、前記遮断ばねを蓄勢および放勢可能なように前記遮断ばねの終端部に取り付けられたダンパーと、一端が前記ダンパーに固着され、他端が前記メインレバーに回転自在に取り付けられた遮断ばねリンクと、前記投入シャフトと平行に前記支持構造体に対して回転可能に設置されたサブシャフトと、前記サブシャフトに固定されたサブレバーと、前記サブレバーと前記メインレバーを互いに連結する主副連結リンクと、前記サブレバーと平行な位置に前記サブシャフトに固定されたカムレバーと、前記投入シャフトの回転に応じて前記カムレバーに接触して前記サブシャフトを揺動させる投入カムと、前記サブシャフトに固定されたラッチレバーと、前記ラッチレバーの先端に取り付けられたローラピンと、前記支持構造体に対して前記投入シャフトの回転軸にほぼ平行な回転軸の周りを回転可能なように配設されたラッチと、前記ラッチを所定の向きに回転するように付勢するラッチ復帰ばねと、前記ラッチの前記ラッチ復帰ばね付勢方向への回転を制限するためにストッパを有したオープロップと、投入状態から遮断状態に移行する際には、前記オープロップとの係合を外して前記オープロップを回転させ、前記オープロップに連結された前記ラッチを回転させることで前記ラッチと前記ローラピンとの係合を外し、前記サブシャフト、前記メインレバーを介して前記遮断ばねを放勢するように前記投入シャフトと平行かつ前記支持構造体に対して回転可能に取り付けられた遮断キャッチと、前記遮断キャッチに取り付けられた遮断キャッチレバーと、前記遮断キャッチに前記遮断キャッチレバーを固定する遮断キャッチピンと、遮断操作時に前記遮断キャッチレバーを押し、前記遮断キャッチを回転させて前記オープロップと前記遮断キャッチと係合を外し、前記遮断ばねを放勢するための遮断用電磁ソレノイドと、前記投入シャフトに固定された投入レバーと、前記投入レバーと前記投入ばねを連結する投入リンクと、前記投入レバーと係合させて前記投入ばねのエネルギーを保持し、遮断状態から投入状態に移行する際には、前記投入レバーとの係合を外して前記投入レバーを介して前記投入シャフトを回転せしめるように前記投入シャフトと平行かつ前記支持構造体に対して回転可能に配設された投入キャッチと、前記投入キャッチに取り付けられた投入キャッチレバーと、前記投入キャッチに前記投入キャッチレバーを固定する投入キャッチピンと、投入操作時に前記投入キャッチレバーを押し、前記投入キャッチを回転させて前記投入レバーとの係合を外し、前記投入ばねを放勢するための投入用電磁ソレノイドと、を備えている。前記遮断キャッチレバーは中空の筒状に形成され、前記中空の筒状の外表面の中央部の一端にレバーが取り付けられ、前記遮断キャッチレバーには前記中空の筒状の肉厚を貫通するように所定の径の第１孔が設けられ、かつ、前記遮断キャッチには前記所定の径と同一径の第２孔が設けられて、前記遮断キャッチの前記第２孔を含む端部が前記遮断キャッチレバーの前記中空に嵌装されて前記第１孔および前記第２孔を連通させて前記遮断キャッチピンにより固定され、前記投入キャッチレバーは中空の筒状に形成され、前記中空の筒状の外表面の中央部の一端にレバーが取り付けられ、前記投入キャッチレバーには前記中空の筒状の肉厚を貫通するように所定の径の第３孔が設けられ、かつ、前記投入キャッチには前記所定の径と同一径の第４孔が設けられて、前記投入キャッチの前記第３孔を含む端部が前記投入キャッチレバーの前記中空に嵌装されて前記第３孔および前記第４孔を連通させて前記投入キャッチピンにより固定されたことを特徴とする。
【００１７】
また、上記課題を解決するため、一つの実施形態の開閉装置は、接続される回路を投入状態および遮断状態に移行できる接点と、支持構造体と、前記支持構造体に対して回転可能なように設置された投入シャフトと、前記開閉装置が遮断状態から投入状態に移行するときに、前記投入シャフトの回転と共に蓄勢され、投入状態から遮断状態に移行するときに放勢されるように配置された遮断ばねと、前記開閉装置が遮断状態から投入状態に移行するときに放勢される投入ばねと、前記投入ばねを蓄勢するため前記投入シャフトに固定された蓄勢機構と、前記投入シャフトに回転自在に固定され、前記開閉装置の前記接点と連動するメインレバーと、前記メインレバーの先端に回転自在に係合するリンク機構と、前記遮断ばねを蓄勢および放勢可能なように前記遮断ばねの終端部に取り付けられたダンパーと、一端が前記ダンパーに固着され、他端が前記メインレバーに回転自在に取り付けられた遮断ばねリンクと、前記投入シャフトと平行に前記支持構造体に対して回転可能に設置されたサブシャフトと、前記サブシャフトに固定されたサブレバーと、前記サブレバーと前記メインレバーを互いに連結する主副連結リンクと、前記サブレバーと平行な位置に前記サブシャフトに固定されたカムレバーと、前記投入シャフトの回転に応じて前記カムレバーに接触して前記サブシャフトを揺動させる投入カムと、前記サブシャフトに固定されたラッチレバーと、前記ラッチレバーの先端に取り付けられたローラピンと、前記支持構造体に対して前記投入シャフトの回転軸にほぼ平行な回転軸の周りを回転可能なように配設されたラッチと、前記ラッチを所定の向きに回転するように付勢するラッチ復帰ばねと、前記ラッチの前記ラッチ復帰ばね付勢方向への回転を制限するためにストッパを有したオープロップと、投入状態から遮断状態に移行する際には、前記オープロップとの係合を外して前記オープロップを回転させ、前記オープロップに連結された前記ラッチを回転させることで前記ラッチと前記ローラピンとの係合を外し、前記サブシャフト、前記メインレバーを介して前記遮断ばねを放勢するように前記投入シャフトと平行かつ前記支持構造体に対して回転可能に取り付けられた遮断キャッチと、前記遮断キャッチに取り付けられた遮断キャッチレバーと、前記遮断キャッチに前記遮断キャッチレバーを固定する遮断キャッチピンと、遮断操作時に前記遮断キャッチレバーを押し、前記遮断キャッチを回転させて前記オープロップと前記遮断キャッチと係合を外し、前記遮断ばねを放勢するための遮断用電磁ソレノイドと、前記投入シャフトに固定された投入レバーと、前記投入レバーと前記投入ばねを連結する投入リンクと、前記投入レバーと係合させて前記投入ばねのエネルギーを保持し、遮断状態から投入状態に移行する際には、前記投入レバーとの係合を外して前記投入レバーを介して前記投入シャフトを回転せしめるように前記投入シャフトと平行かつ前記支持構造体に対して回転可能に配設された投入キャッチと、前記投入キャッチに取り付けられた投入キャッチレバーと、前記投入キャッチに前記投入キャッチレバーを固定する投入キャッチピンと、投入操作時に前記投入キャッチレバーを押し、前記投入キャッチを回転させて前記投入レバーとの係合を外し、前記投入ばねを放勢するための投入用電磁ソレノイドと、を備えている。前記遮断キャッチレバーは中空の筒状に形成され、前記中空の筒状の外表面の中央部の一端にレバーが取り付けられ、前記遮断キャッチレバーには前記中空の筒状の肉厚を貫通するように所定の径の第１孔が設けられ、かつ、前記遮断キャッチには前記所定の径と同一径の第２孔が設けられて、前記遮断キャッチの前記第２孔を含む端部が前記遮断キャッチレバーの前記中空に嵌装されて前記第１孔および前記第２孔を連通させて前記遮断キャッチピンにより固定され、前記投入キャッチレバーは中空の筒状に形成され、前記中空の筒状の外表面の中央部の一端にレバーが取り付けられ、前記投入キャッチレバーには前記中空の筒状の肉厚を貫通するように所定の径の第３孔が設けられ、かつ、前記投入キャッチには前記所定の径と同一径の第４孔が設けられて、前記投入キャッチの前記第３孔を含む端部が前記投入キャッチレバーの前記中空に嵌装されて前記第３孔および前記第４孔を連通させて前記投入キャッチピンにより固定されたことを特徴とする。
【００１８】
また、上記課題を解決するため、他の実施形態の開閉装置操作機構は、開閉装置の接点を投入状態および遮断状態に移行させることができる開閉装置操作機構である。当該開閉装置操作機構は、支持構造体と、前記支持構造体に対して回転可能なように設置された投入シャフトと、前記開閉装置が遮断状態から投入状態に移行するときに、前記投入シャフトの回転と共に蓄勢され、投入状態から遮断状態に移行するときに放勢されるように配置された遮断ばねと、前記開閉装置が遮断状態から投入状態に移行するときに放勢される投入ばねと、前記投入ばねを蓄勢するため前記投入シャフトに固定された蓄勢機構と、前記投入シャフトに回転自在に固定され、前記開閉装置の前記接点と連動するメインレバーと、前記メインレバーの先端に回転自在に係合するリンク機構と、前記遮断ばねを蓄勢および放勢可能なように前記遮断ばねの終端部に取り付けられたダンパーと、一端が前記ダンパーに固着され、他端が前記メインレバーに回転自在に取り付けられた遮断ばねリンクと、前記投入シャフトと平行に前記支持構造体に対して回転可能に設置されたサブシャフトと、前記サブシャフトに固定されたサブレバーと、前記サブレバーと前記メインレバーを互いに連結する主副連結リンクと、前記サブレバーと平行な位置に前記サブシャフトに固定されたカムレバーと、前記投入シャフトの回転に応じて前記カムレバーに接触して前記サブシャフトを揺動させる投入カムと、前記サブシャフトに固定されたラッチレバーと、前記ラッチレバーの先端に取り付けられたローラピンと、前記支持構造体に対して前記投入シャフトの回転軸にほぼ平行な回転軸の周りを回転可能なように配設されたラッチと、前記ラッチを所定の向きに回転するように付勢するラッチ復帰ばねと、前記ラッチの前記ラッチ復帰ばね付勢方向への回転を制限するためにストッパを有したオープロップと、投入状態から遮断状態に移行する際には、前記オープロップとの係合を外して前記オープロップを回転させ、前記オープロップに連結された前記ラッチを回転させることで前記ラッチと前記ローラピンとの係合を外し、前記サブシャフト、前記メインレバーを介して前記遮断ばねを放勢するように前記投入シャフトと平行かつ前記支持構造体に対して回転可能に取り付けられた遮断キャッチと、前記遮断キャッチに取り付けられた遮断キャッチレバーと、前記遮断キャッチに前記遮断キャッチレバーを固定する遮断キャッチピンと、遮断操作時に前記遮断キャッチレバーを押し、前記遮断キャッチを回転させて前記オープロップと前記遮断キャッチと係合を外し、前記遮断ばねを放勢するための遮断用電磁ソレノイドと、前記投入シャフトに固定された投入レバーと、前記投入レバーと前記投入ばねを連結する投入リンクと、前記投入レバーと係合させて前記投入ばねのエネルギーを保持し、遮断状態から投入状態に移行する際には、前記投入レバーとの係合を外して前記投入レバーを介して前記投入シャフトを回転せしめるように前記投入シャフトと平行かつ前記支持構造体に対して回転可能に配設された投入キャッチと、前記投入キャッチに取り付けられた投入キャッチレバーと、前記投入キャッチに前記投入キャッチレバーを固定する投入キャッチピンと、投入操作時に前記投入キャッチレバーを押し、前記投入キャッチを回転させて前記投入レバーとの係合を外し、前記投入ばねを放勢するための投入用電磁ソレノイドと、を備えている。前記遮断キャッチと前記遮断キャッチレバー、あるいは、前記投入キャッチと前記投入キャッチレバーの少なくともいずれかが一体構造であることを特徴とする。
【００１９】
また、上記課題を解決するため、他の実施形態の開閉装置は、接続される回路を投入状態および遮断状態に移行できる接点と、支持構造体と、前記支持構造体に対して回転可能なように設置された投入シャフトと、前記開閉装置が遮断状態から投入状態に移行するときに、前記投入シャフトの回転と共に蓄勢され、投入状態から遮断状態に移行するときに放勢されるように配置された遮断ばねと、前記開閉装置が遮断状態から投入状態に移行するときに放勢される投入ばねと、前記投入ばねを蓄勢するため前記投入シャフトに固定された蓄勢機構と、前記投入シャフトに回転自在に固定され、前記開閉装置の前記接点と連動するメインレバーと、前記メインレバーの先端に回転自在に係合するリンク機構と、前記遮断ばねを蓄勢および放勢可能なように前記遮断ばねの終端部に取り付けられたダンパーと、一端が前記ダンパーに固着され、他端が前記メインレバーに回転自在に取り付けられた遮断ばねリンクと、前記投入シャフトと平行に前記支持構造体に対して回転可能に設置されたサブシャフトと、前記サブシャフトに固定されたサブレバーと、前記サブレバーと前記メインレバーを互いに連結する主副連結リンクと、前記サブレバーと平行な位置に前記サブシャフトに固定されたカムレバーと、前記投入シャフトの回転に応じて前記カムレバーに接触して前記サブシャフトを揺動させる投入カムと、前記サブシャフトに固定されたラッチレバーと、前記ラッチレバーの先端に取り付けられたローラピンと、前記支持構造体に対して前記投入シャフトの回転軸にほぼ平行な回転軸の周りを回転可能なように配設されたラッチと、前記ラッチを所定の向きに回転するように付勢するラッチ復帰ばねと、前記ラッチの前記ラッチ復帰ばね付勢方向への回転を制限するためにストッパを有したオープロップと、投入状態から遮断状態に移行する際には、前記オープロップとの係合を外して前記オープロップを回転させ、前記オープロップに連結された前記ラッチを回転させることで前記ラッチと前記ローラピンとの係合を外し、前記サブシャフト、前記メインレバーを介して前記遮断ばねを放勢するように前記投入シャフトと平行かつ前記支持構造体に対して回転可能に取り付けられた遮断キャッチと、前記遮断キャッチに取り付けられた遮断キャッチレバーと、前記遮断キャッチに前記遮断キャッチレバーを固定する遮断キャッチピンと、遮断操作時に前記遮断キャッチレバーを押し、前記遮断キャッチを回転させて前記オープロップと前記遮断キャッチと係合を外し、前記遮断ばねを放勢するための遮断用電磁ソレノイドと、前記投入シャフトに固定された投入レバーと、前記投入レバーと前記投入ばねを連結する投入リンクと、前記投入レバーと係合させて前記投入ばねのエネルギーを保持し、遮断状態から投入状態に移行する際には、前記投入レバーとの係合を外して前記投入レバーを介して前記投入シャフトを回転せしめるように前記投入シャフトと平行かつ前記支持構造体に対して回転可能に配設された投入キャッチと、前記投入キャッチに取り付けられた投入キャッチレバーと、前記投入キャッチに前記投入キャッチレバーを固定する投入キャッチピンと、投入操作時に前記投入キャッチレバーを押し、前記投入キャッチを回転させて前記投入レバーとの係合を外し、前記投入ばねを放勢するための投入用電磁ソレノイドと、を備えている。前記遮断キャッチと前記遮断キャッチレバー、あるいは、前記投入キャッチと前記投入キャッチレバーの少なくともいずれかが一体構造であることを特徴とする。
【図面の簡単な説明】
【００２０】
【図１】本発明に係る開閉装置操作機構の第１の実施形態の構成を示す展開正面図。
【図２】図１のキャッチ機構の部分断面拡大正面図。
【図３】図１のキャッチ機構の拡大側面図。
【図４】本発明に係る開閉装置操作機構の第２の実施形態のキャッチ機構の部分断面拡大正面図。
【図５】第２の実施形態のキャッチ機構の拡大側面図。
【図６】本発明に係る開閉装置操作機構の第３の実施形態のキャッチ機構の部分断面拡大正面図。
【図７】第３の実施形態のキャッチ機構の拡大側面図。
【図８】図６および図７に示すピンの縦断面図。
【図９】本発明に係る開閉装置操作機構の第４の実施形態のキャッチ機構の部分断面拡大正面図。
【図１０】第４の実施形態のキャッチ機構の拡大側面図。
【図１１】本発明に係る開閉装置操作機構の第５の実施形態のキャッチ機構の部分断面拡大正面図。
【図１２】第５の実施形態のキャッチ機構の拡大側面図。
【図１３】本発明に係る開閉装置操作機構の第６の実施形態のキャッチ機構の部分断面拡大正面図。
【図１４】第６の実施形態のキャッチ機構の部分断面拡大側面図。
【図１５】従来技術のキャッチ機構の部分断面構造図。
【発明を実施するための形態】
【００２１】
以下、本発明に係る開閉装置操作機構および開閉装置の実施形態について、図面を参照して説明する。
【００２２】
［第１の実施形態］
以下、図１ないし図３を参照しながら本発明に係る開閉装置操作機構の第１の実施形態について説明する。図１は、本発明の第１の実施形態による開閉装置操作機構の接点投入動作完了状態を示す展開正面図である。図２および図３は、図１のキャッチ機構の拡大図であり、特に図２にはキャッチレバー３ａの回転軸方向から見たキャッチ機構４０ａの部分断面拡大正面図を示し、図３にはその拡大側面図を示す。なお、図１は、第２ないし第６の実施形態による開閉装置操作機構の接点投入動作完了状態を示す展開正面図でもある。
【００２３】
以下の第１の実施形態の開閉装置操作機構の構成の説明について、はじめに開閉装置として主要な構成部分について説明し、その後に、本実施形態のキャッチ機構について説明する。なお、本実施形態の開閉装置の構成では、一般的な開閉装置に備えられている遮断ばね部等の要素については簡略化して図示するかまたは図示を省略している。また、図１に示す本実施形態の開閉装置操作機構の構成において、投入シャフト７およびサブシャフト１２は各々の軸中心のみを示し、形状等の詳細は省略している。
【００２４】
本実施形態の開閉装置は、開閉装置の接点を投入状態および遮断状態の双方に移行させることができる開閉装置操作機構を有する。
【００２５】
図１に示す開閉装置の開閉装置操作機構は、支持構造体６、投入シャフト７、遮断ばね８、投入ばね９、蓄勢機構１０、メインレバー１１、サブシャフト１２、サブレバー１３、主副連結リンク１４、カムレバー１５、投入カム１６、ラッチレバー１７、ローラピン１７ａ、ラッチ１８、ラッチ復帰ばね１９、オープロップ（開プロップ）２０、遮断キャッチ２１、遮断キャッチレバー２２、遮断用電磁ソレノイド２３、遮断用プランジャ２３ａ、投入レバー２４、投入リンク２５、遮断ばねリンク２６、投入キャッチ２７、投入キャッチレバー２８、投入用電磁ソレノイド２９、投入用プランジャ２９ａ、リンク機構３０、接点３１、ダンパー３２およびばね受け８１を備えている。
【００２６】
図１において、リンク機構３０の上方向（図１紙面の上方向）に接点３１が連結されている。リンク機構３０が下方向（図１紙面の下方向）に移動したときに接点３１が開となって遮断状態となり、リンク機構３０が上方向に移動したときに接点３１が閉となって投入状態となるように構成されている。
【００２７】
リンク機構３０の一端はメインレバー１１の先端に回転自在に係合し、メインレバー１１は投入シャフト７に回転自在に固定されている。投入シャフト７は支持構造体６に固定された軸受（図示せず）で回転可能に支持されている。
【００２８】
支持構造体６は、開閉装置操作機構において、以下に説明する構成部品・要素などを支持する構造体であり、開閉装置に設けられている。
【００２９】
投入シャフト７は、支持構造体６に対して回転可能なように設置されている。投入シャフト７には、蓄勢機構１０、投入カム１６および投入レバー２４が固定され、さらにメインレバー１１およびオープロップ２０が回転自在に配設されている。
【００３０】
遮断ばね８は、支持構造体６の取り付け面にその一端が固定されており、他端はダンパー３２に固着されている。遮断ばね８およびダンパー３２は、ばね受け８１に嵌装されている。ダンパー３２の内部には例えば流体が封入されている。遮断ばね８は、開閉装置が遮断状態から投入状態に移行するときに、投入シャフト７の回転と共に蓄勢され、投入状態から遮断状態に移行するときに放勢されるように配置されている。
【００３１】
遮断ばねリンク２６の一端はダンパー３２に固着され、遮断ばねリンク２６の他端はメインレバー１１に回転自在に取り付けられている。遮断ばねリンク２６は、並進摺動自在に配置されている。
【００３２】
蓄勢機構１０は、投入ばね９および遮断ばね８を蓄勢するため、投入シャフト７に固定されている。蓄勢機構１０は、遮断ばねリンク２６を介して、投入シャフト７の回転と共に遮断ばね８を蓄勢する。メインレバー１１は、遮断ばねリンク２６を介して遮断ばね８による放勢から生じる力が伝達される。
【００３３】
メインレバー１１は、投入シャフト７に回転自在に固定され、リンク機構３０を介して、開閉装置の接点３１と連結されている。また、メインレバー１１は、遮断ばねリンク２６を介して、遮断ばね８に連結されている。さらに、メインレバー１１は、主副連結リンク１４を介して、投入シャフト７に平行な位置で、支持構造体６に回転自在に取り付けられたサブシャフト１２のサブレバー１３に連結されている。
【００３４】
サブシャフト１２は、投入シャフト７と平行に支持構造体６に対して回転可能に設置されている。サブシャフト１２には、サブレバー１３が固定されている。サブシャフト１２には、この他にもカムレバー１５およびラッチレバー１７がサブレバー１３に平行となるように固定されている。
【００３５】
主副連結リンク１４は、前述したように、サブレバー１３とメインレバー１１を互いに連結する。
【００３６】
投入カム１６は、投入シャフト７の回転に応じて、サブレバー１３および主副連結リンク１４を介してサブシャフト１２を揺動させる。
【００３７】
カムレバー１５は、サブレバー１３と平行な位置にサブシャフト１２に固定されている。ラッチレバー１７はサブシャフト１２に固定され、ローラピン１７ａはそのラッチレバー１７の先端に取り付けられている。
【００３８】
ラッチ１８は、支持構造体６に対して投入シャフト７の回転軸にほぼ平行な回転軸の周りを回転可能なように配設されている。ラッチ１８は、投入状態において、ローラピン１７ａに係合するようにオープロップ２０に回転可能なように取り付けられている。ラッチ復帰ばね１９は、ラッチ１８を所定の向きに回転させるように付勢する。
【００３９】
オープロップ２０は、ラッチ１８のラッチ復帰ばね１９の付勢方向への回転を制限するために、ストッパを有している。
【００４０】
図１に示す遮断キャッチ２１、遮断キャッチレバー２２、遮断用電磁ソレノイド２３、遮断用プランジャ２３ａから構成される遮断レバーキャッチ機構４０−１と、投入キャッチ２７、投入キャッチレバー２８、投入用電磁ソレノイド２９、投入用プランジャ２９ａから構成される投入レバーキャッチ機構４０−２とである。なお、遮断レバーキャッチ機構４０−１および投入レバーキャッチ機構４０−２の構造については、詳しくは後述する。
【００４１】
遮断キャッチ２１は、遮断ばね８を放勢可能なように、投入シャフト７と平行かつ支持構造体６に対して回転可能に取り付けられている。遮断キャッチ２１は、投入状態から遮断状態に移行する際には、オープロップ２０との係合を外してオープロップ２０を回転させる。
【００４２】
遮断キャッチ２１は、オープロップ２０に連結されたラッチ１８を回転させることで、ラッチ１８とローラピン１７ａとの係合を外す。ラッチ１８とローラピン１７ａとの係合が外れると、遮断キャッチ２１は投入シャフト７と平行で、かつ、支持構造体６に対して回転する。遮断キャッチ２１は、サブシャフト１２、メインレバー１１を介して遮断ばね８を放勢する。
【００４３】
遮断キャッチレバー２２は、遮断キャッチ２１に取り付けられている。遮断用電磁ソレノイド２３は、遮断操作時に遮断キャッチレバー２２を押し、遮断キャッチ２１を回転させてオープロップ２０と遮断キャッチ２１と係合を外し、遮断ばね８を放勢する。
【００４４】
遮断動作の際には、遮断用電磁ソレノイド２３が励磁されることにより、遮断用プランジャ２３ａを駆動する。遮断キャッチ２１と遮断キャッチ２１に固定された遮断キャッチレバー２２が遮断用プランジャ２３aに押されて回転する。
【００４５】
この遮断キャッチレバー２２の回転により、オープロップ２０と遮断キャッチ２１の係合が外れ、オープロップ２０が回転するとともに、ラッチ１８が動いてサブシャフト１２に固定されたラッチレバー１７とラッチ１８の係合が外れる。この結果、サブシャフト１２、サブレバー１３、主副連結リンク１４およびメインレバー１１により遮断ばね８を蓄勢していた力が外れ、遮断ばね８が放勢される。
【００４６】
ダンパー３２の一端は遮断ばねリンク２６に固着され、その他端は遮断ばね８を蓄勢および放勢可能なように遮断ばね８の終端部に取り付けられている。遮断ばね８の他の終端部は支持構造体６に固定され、ダンパー３２はダンパー３２の長手方向に沿って支持構造体６を挿通している。
【００４７】
遮断ばね８が放勢されると、遮断ばねリンク２６およびダンパー３２を介してメインレバー１１が回転させられて、リンク機構３０に繋がっている遮断器の接点３１が遮断される。そして、遮断ばね８は、放勢後、ダンパー３２により制動される。
【００４８】
投入ばね９は、開閉装置が遮断状態から投入状態に移行するときに放勢される。また、投入ばね９は、遮断状態の際に蓄勢される。
【００４９】
投入レバー２４は、投入シャフト７に固定されている。さらに、投入レバー２４は投入リンク２５を介して投入ばね９に接続されている。
【００５０】
投入リンク２５は、一端側で投入レバー２４に連結され、他端側で投入ばね９を固着している。これにより、投入リンク２５は、投入レバー２４と投入ばね９とを連結している。
【００５１】
投入キャッチ２７は、回転自在となるように支持構造体６に取り付けられている。投入キャッチ２７は、投入シャフト７と平行に配設される。投入キャッチ２７は、投入レバー２４と離接可能に係合して、投入ばね９の蓄勢ネルギーを保持可能とする。遮断状態から投入状態に移行する際には、投入キャッチ２７は投入レバー２４との係合を外して、投入レバー２４を介して投入シャフト７を回転させる。
【００５２】
投入キャッチレバー２８は、投入キャッチ２７に取り付けられている。投入用電磁ソレノイド２９は、投入の外部指令（投入操作時）により励磁されると、投入キャッチレバー２８を押し、投入キャッチ２７を回転させて投入レバー２４との係合を外し、投入ばね９を放勢する。
【００５３】
投入動作時において、投入キャッチ２７および投入キャッチ２７に固定された投入キャッチレバー２８が、投入用電磁ソレノイド２９の先端部に取り付けられた投入用プランジャ２９aに押されて回転し、投入キャッチ２７と投入レバー２４との係合が外れる。
【００５４】
投入レバー２４は、投入リンク２５を介して繋がった投入ばね９の放勢に伴い投入シャフト７を回転させる。これによって投入カム１６が、サブシャフト１２に連通されたカムレバー１５と接触してカムレバー１５を揺動させ、サブシャフト１２と主副連結リンク１４を介してメインレバー１１を遮断器が投入する方向に回転させて投入が完了する。
【００５５】
また、投入時には、投入カム１６によってカムレバー１５が押されてサブシャフト１２が揺動し、メインレバー１１、サブレバー１３および主副連結リンク１４を介して遮断ばね８を蓄勢する。これとともに、ラッチレバー１７先端に取り付けられたローラピン１７ａがラッチ１８を押しのけ、ラッチ復帰ばね１９によってラッチ１８が復帰した際に、ラッチレバー１７の先端に取り付けられたローラピン１７ａとラッチ１８の先端が離接可能に係合する。
【００５６】
さらに、投入シャフト７に固定された蓄勢機構１０により投入シャフト７が回転されて、放勢された投入ばね９は、投入シャフト７に固定された投入レバー２４の端部が投入キャッチ２７に係合するまで蓄勢される。
【００５７】
次に、キャッチ機構４０ａについて説明する。
【００５８】
図２および図３は、キャッチ機構４０ａの構造図である。特に、図２はキャッチレバー３ａの回転軸方向から見たキャッチ機構４０ａの部分断面拡大正面図を示し、図３はその拡大側面図である。
【００５９】
キャッチ機構４０ａは、図２および図３に示すように、キャッチ１ａとキャッチレバー３ａとを有する。なお、キャッチ機構４０ａは、図１に示す遮断キャッチ２１、遮断キャッチレバー２２、遮断用電磁ソレノイド２３、遮断用プランジャ２３ａから構成される遮断レバーキャッチ機構４０−１、投入キャッチ２７、投入キャッチレバー２８、投入用電磁ソレノイド２９、投入用プランジャ２９ａから構成される投入レバーキャッチ機構４０−２のいずれか、または、両方を示すものとする。
【００６０】
図２および図３に示すように、キャッチレバー３ａには、内部に筒状の空間が設けられ、その筒状の空間の外周に肉厚を有するように筒状に形成されている。例えば、キャッチレバー３ａは中空の円筒状に形成される。その円筒状の外表面の中央部の一端に他の部品と係合可能なレバーが取り付けられている。
【００６１】
キャッチ１ａには、第１の所定の長さまでその空間に嵌挿可能なように円筒状部４１ａが形成されている。さらに、キャッチ１ａの第１の所定の長さを超えた範囲には、第２の所定の長さまで半円筒部４２ａが形成されている。第２の所定の長さ以降の範囲には、円筒状部４６ａが形成されている。
【００６２】
円筒状部４６ａは、キャッチ１ａが支持構造体６に対して回転可能となるように取り付けられている。例えば、キャッチ１ａが遮断キャッチ２１である場合、前述したように遮断キャッチ２１が投入シャフト７と平行かつ支持構造体６に対して回転可能となるように、円筒状部４６ａが支持構造体６に取り付けられる。
【００６３】
半円筒部４２ａにおいて、他の部品と係合可能なようにされている。例えばキャッチ１ａが投入キャッチ２７である場合には、他の部品は投入レバー２４であり、また、キャッチ１ａが遮断キャッチ２１である場合には、他の部品はオープロップ２０である。
【００６４】
さらに、キャッチレバー３ａには貫通孔４３ａが設けられ、キャッチ１ａには貫通孔４４ａが設けられている。これらの貫通孔４３ａおよび貫通孔４４ａは、ピン４ａを嵌着可能なピン通し孔４５ａとなるように、キャッチレバー３ａおよびキャッチ１ａが加工されている。
【００６５】
貫通孔４３ａの加工位置は、キャッチレバー３ａのレバー部分の長手方向の軸に対して垂直方向に、キャッチレバー３ａの円筒状部分の外側から内側にかけて孔が貫通する位置である。
【００６６】
貫通孔４４ａの加工位置は、半円筒部４２ａにおいて他の部品と係合可能な位置である。また、貫通孔４４ａは、円筒状部４１ａの断面に対して垂直方向から、円筒状部４１ａの外周を貫通して孔が加工される。
【００６７】
ピン４ａは、ピン通し孔４５ａに嵌着される。このために、ピン４ａは、このピン通し孔４５ａに圧入可能なように外周方向に弾性を有して棒状に形成されている。すなわち、ピン４ａが貫通孔４３ａおよび貫通孔４４ａによるピン通し孔４５ａに圧入されることにより、キャッチ１ａおよびキャッチレバー３ａが固定される。
【００６８】
キャッチ１ａとキャッチレバー３ａは、ピン通し孔４５ａにピン４ａが圧入されて結合されることで、これら部品間のガタがなくなる。
【００６９】
以上のことを、遮断レバーキャッチ機構４０−１、および、投入レバーキャッチ機構４０−２について個別に説明すると、以下の通りである。
【００７０】
遮断レバーキャッチ機構４０−１において、遮断キャッチレバー２２は中空の筒状に形成され、中空の筒状の外表面の中央部の一端にレバーが取り付けられている。遮断キャッチレバー２２には中空の筒状の肉厚を貫通するように所定の径の第１孔（貫通孔４３ａに対応）が設けられている。
【００７１】
また、遮断キャッチ２１には所定の径と同一径の第２孔（貫通孔４４ａに対応）が設けられている。遮断キャッチ２１の第２孔を含む端部が遮断キャッチレバー２２の中空に嵌装されて第１孔および第２孔を連通させて（ピン通し孔４５ａに対応）、遮断キャッチピン（ピン４ａに対応）により固定されている。
【００７２】
投入レバーキャッチ機構４０−２において、投入キャッチレバー２８は中空の筒状に形成され、中空の筒状の外表面の中央部の一端にレバーが取り付けられている。投入キャッチレバー２８には中空の筒状の肉厚を貫通するように所定の径の第３孔（貫通孔４３ａに対応）が設けられている。
【００７３】
また、投入キャッチ２７には所定の径と同一径の第４孔（貫通孔４４ａに対応）が設けられている。投入キャッチ２７の第４孔を含む端部が投入キャッチレバー２８の中空に嵌装されて第３孔および第４孔を連通させて（ピン通し孔４５ａに対応）、投入キャッチピン（ピン４ａに対応）により固定されている。
【００７４】
以上説明したように、ピン通し孔４５ａにピン４ａを圧入することで、従来のキー構造で生じていたような部品同士のガタがなくなるため、キャッチ１ａおよびキャッチレバー３ａの動作の安定性が高くなる。
【００７５】
また、キャッチ１ａとキャッチレバー３ａは合わせ加工によりピン通し孔４５ａを設けることができるため、精度のよいキーの加工が必要なくなるため、製造コストが低減される。
【００７６】
以上説明したように、第１の実施形態によれば、キャッチ機構を構成するキャッチおよびキャッチレバーの動作を安定させることができる開閉装置操作機構および開閉装置を提供することができる。
【００７７】
［第２の実施形態］
以下、図４および図５を参照しながら本発明に係る開閉装置操作機構の第２の実施形態について説明する。図４および図５は、図１のキャッチ機構の拡大図であり、特に図４はキャッチレバー３ｂの回転軸方向から見たキャッチ機構４０ｂの部分断面拡大正面図であり、図５はその拡大側面図である。
【００７８】
第２の実施形態の開閉装置操作機構は、第１の実施形態と比較して、図４および図５に示すキャッチ機構４０ｂのピン４ｂが相違する。キャッチ機構４０ｂのそれ以外については、図２および図３に示すキャッチ機構４０ａと同様な機能である。以下では、キャッチ機構４０ｂとキャッチ機構４０ａとの相違点について主に説明し、キャッチ機構４０ａと同様な機能の説明については省くものとする。
【００７９】
キャッチ機構４０ｂは、図１に示す遮断キャッチ２１、遮断キャッチレバー２２、遮断用電磁ソレノイド２３、遮断用プランジャ２３ａから構成される遮断レバーキャッチ機構４０−１、投入キャッチ２７、投入キャッチレバー２８、投入用電磁ソレノイド２９、投入用プランジャ２９ａから構成される投入レバーキャッチ機構４０−２のいずれか、または、両方を示すものとする。また、このことは、第３ないし第６の実施形態の開閉装置操作機構におけるキャッチ機構についても同様とする。
【００８０】
図４および図５に示すピン４ｂは、ピン通し孔４５ｂからの抜け止め防止構造を備えている。具体的には、ピン４ｂが、貫通孔４３ｂおよび貫通孔４４ｂによるピン通し孔４５ｂに圧入され、ピン通し孔４５ｂを貫通後、例えばポンチにて長手方向のピン頭部が叩かれると、ピン頭部が広がって変形し、ピン４ｂがピン通し孔４５ｂから抜けなくなる構造となる。
【００８１】
以上のような構造により、キャッチ１ｂおよびキャッチレバー３ｂがピン４ｂで固定され、ピン４ｂがピン通し孔４５ｂから動くことを阻止する。ピン４ｂに抜け止め構造を図ることによって、ピン４ｂがピン通し孔４５ｂから抜けることを防止できるため、より信頼性の高い開閉装置操作機構を提供することができる。
【００８２】
以上説明したように、第２の実施形態によれば、キャッチ機構を構成するキャッチおよびキャッチレバーの動作を安定させることができる開閉装置操作機構および開閉装置を提供することができる。
【００８３】
［第３の実施形態］
以下、図６および図７を参照しながら本発明に係る開閉装置操作機構の第３の実施形態について説明する。図６および図７は、図１のキャッチ機構の拡大図であり、特に図６はキャッチレバー３ｃの回転軸方向から見たキャッチ機構５０ｃの部分断面拡大正面図であり、図７はその拡大側面図である。
【００８４】
第３の実施形態では、第１の実施形態で示した図２および図３のキャッチ機構４０ａの代わりに、図６および図７に示すキャッチ機構５０ｃが用いられる。以下では、キャッチ機構５０ｃとキャッチ機構４０ａとの相違点について主に説明し、キャッチ機構４０ａと同様な機能の説明については省くものとする。
【００８５】
キャッチ機構５０ｃは、図６および図７に示すように、キャッチ１ｃおよびキャッチレバー３ｃを有する。
【００８６】
キャッチ１ｃには、第１の所定の長さまでキャッチレバー３ｃの円筒状の空間に嵌挿可能なように円筒状部５１ｃが形成されている。さらに、キャッチ１ｃの第１の所定の長さを超えた範囲には、第２の所定の長さまで半円筒部５２ｃが形成されている。半円筒部５２ｃにおいて、他の部品と係合可能なようにされている。他の部品は、例えば投入レバー２４などである。
【００８７】
第２の所定の長さ以降の範囲には、円筒状部５６ｃが形成されている。円筒状部５６ｃは、キャッチ１ｃが支持構造体６に対して回転可能となるように取り付けられている。
【００８８】
キャッチレバー３ｃは、内部に筒状の空間を有し、その筒状の空間の外周に肉厚を有するように筒状に形成されている。例えば、キャッチレバー３ｃは中空の円筒状に形成される。その円筒状の外表面の中央部の一端に他の部品と係合可能なレバーが取り付けられている。
【００８９】
さらに、キャッチレバー３ｃには貫通孔５３ｃが設けられ、キャッチ１ｃには貫通孔５４ｃが設けられている。これらの貫通孔５３ｃおよび貫通孔５４ｃは、ピン５ｃを嵌着可能なピン通し孔５５ｃとなるように、キャッチ１ｃおよびキャッチレバー３ｃが加工されている。
【００９０】
貫通孔５３ｃの加工位置は、キャッチレバー３ｃのレバー部分の長手方向の軸に対して垂直方向に、キャッチレバー３ｃの円筒状部分の外側から内側にかけて孔が貫通する位置である。
【００９１】
貫通孔５４ｃの加工位置は、半円筒部５２ｃにおいて他の部品と係合可能な位置である。また、貫通孔５４ｃは、円筒状部５１ｃの断面に対して垂直方向から、円筒状部５１ｃの外周を貫通して孔が加工される。
【００９２】
図８に、キャッチ機構５０ｃに用いられるピン５ｃの縦断面を示す。
【００９３】
ピン５ｃは、貫通孔５３ｃおよび貫通孔５４ｃによるピン通し孔５５ｃに、圧入可能なように外周方向に弾性部５８ｃを有し、その内側に剛体の棒状部５７ｃが形成されている。
【００９４】
弾性部５８ｃは、例えば、ばねピンや、ばね鋼を渦巻き状に巻いて成形した弾性体などで形成される。ピン５ｃは、ピン通し孔５５ｃの所定の径よりも大きい径である。このピン５ｃをキャッチ１ｃおよびキャッチレバー３ｃのピン通し孔５５ｃに圧入することで、弾性部５８ｃの弾性力によりピン５ｃがピン通し孔５５ｃから抜けにくくなる。
【００９５】
以上説明したように、第３の実施形態によれば、キャッチ機構を構成するキャッチおよびキャッチレバーの動作を安定させることができる開閉装置操作機構および開閉装置を提供することができる。
【００９６】
［第４の実施形態］
以下、図９および図１０を参照しながら本発明に係る開閉装置操作機構の第４の実施形態について説明する。図９および図１０は、図１のキャッチ機構の拡大図であり、特に図９はキャッチレバー３ｄの回転軸方向から見たキャッチ機構５０ｄの部分断面拡大正面図であり、図１０はその拡大側面図である。
【００９７】
第４の実施形態では、第３の実施形態で示した図６および図７のキャッチ機構５０ｃの代わりに、図９および図１０に示すキャッチ機構５０ｄが用いられる。
【００９８】
キャッチ機構５０ｄは、図９および図１０に示すように、キャッチ１ｄおよびキャッチレバー３ｄを有する。
【００９９】
キャッチレバー３ｄは、内部に筒状の空間を有し、その筒状の空間の外周に肉厚を有するように筒状に形成されている。例えば、キャッチレバー３ｄは中空の円筒状に形成される。その円筒状の外表面の中央部の一端に他の部品と係合可能なレバーが取り付けられている。
【０１００】
キャッチ１ｄには、第１の所定の長さまでキャッチレバー３ｄの円筒状の空間に嵌挿可能なように円筒状部５１ｄが形成されている。さらに、キャッチ１ｄの第１の所定の長さを超えた範囲には、第２の所定の長さまで半円筒部５２ｄが形成されている。半円筒部５２ｄにおいて、他の部品と係合可能なようにされている。他の部品は、例えば投入レバー２４などである。
【０１０１】
第２の所定の長さ以降の範囲には、円筒状部５６ｄが形成されている。円筒状部５６ｄは、キャッチ１ｄが支持構造体６に対して回転可能となるように取り付けられている。
【０１０２】
キャッチレバー３ｄには複数の貫通孔５３ｄが設けられ、それらに対応するように、キャッチ１ｄには複数の貫通孔５４ｄが設けられている。これらの複数の貫通孔５３ｄおよび貫通孔５４ｄによる複数のピン通し孔５５ｄとなるように、キャッチ１ｄおよびキャッチレバー３ｄが加工されている。
【０１０３】
キャッチ機構５０ｄには、複数のピン通し孔５５ｄが設けられる。複数のピン通し孔５５ｄは、キャッチレバー３ｄのレバーの位置の長手方向を中心に対象となるように間隔をおいて設けられる。
【０１０４】
ピン５ｄは、ピン通し孔５５ｄに、圧入可能なように周方向に弾性を有して棒状に形成されている。例えば、ピン５ｄが有する弾性は、ばねピンや、ばね鋼を渦巻き状に巻いて成形した弾性体などが巻かれる。例えば、ピン５ｄは、図８に示すピン５ｃと同様な構造である。
【０１０５】
ピン５ｄをピン通し孔５５ｄに圧入することで、ピン５ｄの周方向の弾性力によりピン通し孔５５ｄからピン５ｄが抜けにくくなる。
【０１０６】
第１ないし第３の実施形態では、ピンを１箇所に圧入してキャッチおよびキャッチレバーを固定していた。しかし、第４の実施形態では、複数個所に周方向に弾性を有するピン５ｄを圧入するため、電磁ソレノイド２のプランジャ２ａから押された力がより分散される。
【０１０７】
また、周方向に弾性を有するピン５ｄの数を増やすことによって、ピン５ｄの１本当たりにかかる力を低減できるので、多数回の動作を行った場合でも周方向に弾性を有するピン５ｄが破断しにくくなり、耐久性が向上する。
【０１０８】
以上説明したように、第４の実施形態によれば、キャッチ機構を構成するキャッチおよびキャッチレバーの動作を安定させることができる開閉装置操作機構および開閉装置を提供することができる。
【０１０９】
［第５の実施形態］
以下、図１１および図１２を参照しながら本発明に係る開閉装置操作機構の第５の実施形態について説明する。図１１および図１２は、図１のキャッチ機構の拡大図であり、特に図１１はキャッチレバー３ｅの回転軸方向から見たキャッチ機構４０ｅの部分断面拡大正面図であり、図１２はその拡大側面図である。
【０１１０】
第５の実施形態では、第１の実施形態で示した図２および図３に示すキャッチ機構４０ａの代わりに、図１１および図１２に示すキャッチ機構４０ｅが用いられる。
【０１１１】
キャッチ機構４０ｅは、図１１および図１２に示すように、キャッチ１ｅおよびキャッチレバー３ｅを有する。
【０１１２】
キャッチレバー３ｅは、内部に円筒状の空間を有し、その筒状の空間の外周に肉厚を有するように筒状に形成されている。例えば、キャッチレバー３ｅは中空の円筒状に形成される。その円筒状の外表面の中央部の一端に他の部品と係合可能なレバーが取り付けられている。当該レバーは、電磁ソレノイド２のプランジャ２ａの押し出し方向の移動により押される。
【０１１３】
キャッチ１ｅには、第１の所定の長さまでキャッチレバー３ｅの円筒状の空間に嵌挿可能なように円筒状部４１ｅが形成されている。さらに、キャッチ１ｅの第１の所定の長さを超えた範囲には、第２の所定の長さまで半円筒部４２ｅが形成されている。その半円筒部４２ｅにおいて、他の部品と係合可能なようにされている。他の部品は、例えばキャッチ１ｅが投入キャッチ２７である合には、キャッチレバー３ｅは投入レバー２４である。
【０１１４】
第２の所定の長さ以降の範囲には、円筒状部４６ｅが形成されている。円筒状部４６ｅは、キャッチ１ｅが支持構造体６に対して回転可能となるように取り付けられている。
【０１１５】
さらに、キャッチレバー３ｅには貫通孔４３ｅが設けられ、キャッチ１ｅには止まり穴４４ｅが設けられている。貫通孔４３ｅおよび止まり穴４４ｅがピン４ｅのピン止め孔４５ｅとなるように、キャッチレバー３ｅおよびキャッチ１ｅが加工されている。
【０１１６】
貫通孔４３ｅの加工位置は、キャッチレバー３ｅのレバー部分の長手方向の軸に対して垂直方向に、キャッチレバー３ｅの円筒状部分の外側から内側にかけて孔が貫通する位置である。
【０１１７】
止まり穴４４ｅの加工位置は、半円筒部４２ｅにおいて他の部品と係合可能な位置である。また、止まり穴４４ｅは、円筒状部４１ｅの断面に対して垂直方向に、円筒状部４１ｅの外周からその断面半径よりも長くその直径よりも短い範囲まで穴が加工される。
【０１１８】
ピン４ｅは、貫通孔４３ｅおよび止まり穴４４ｅによるピン止め孔４５ｅに嵌着される。このために、ピン４ｅは、このピン止め孔４５ｅに圧入可能なように外周方向に弾性を有して棒状に形成されている。すなわち、ピン４ｅがピン止め孔４５ｅに圧入されることにより、キャッチ１ｅおよびキャッチレバー３ｅが固定される。
【０１１９】
キャッチ１ｅとキャッチレバー３ｅは、ピン止め孔４５ｅにピン４ｅが圧入されて結合されることで、これら部品間のガタがなくなる。
【０１２０】
以上のように、ピン４ｅをピン止め孔４５ｅに圧入することで、従来のキー構造で生じていたような部品同士のガタがなくなるため、キャッチ１ｅおよびキャッチレバー３ｅの動作の安定性が高い。
【０１２１】
また、キャッチ１ｅとキャッチレバー３ｅは合わせ加工によりピン止め孔４５ｅを設けることができるため、精度のよいキーの加工が必要なくなるため、製造コストが低減される。
【０１２２】
以上説明したように、第５の実施形態によれば、キャッチ機構を構成するキャッチおよびキャッチレバーの動作を安定させることができる開閉装置操作機構および開閉装置を提供することができる。
【０１２３】
［第６の実施形態］
以下、図１３および図１４を参照しながら本発明に係る開閉装置操作機構の第６の実施形態について説明する。図１３および図１４は、図１のキャッチ機構の拡大図であり、特に図１３はキャッチレバー３ｆの回転軸方向から見たキャッチ機構６０ｆの部分断面拡大正面図であり、図１４はその部分断面拡大側面図である。
【０１２４】
第６の実施形態では、第１の実施形態で示した図２および図３に示すキャッチ機構４０ａの代わりに、図１３および図１４に示すキャッチ機構６０ｆが用いられる。
【０１２５】
キャッチ機構６０ｆは、図１３および図１４に示すように、キャッチ１ｆおよびキャッチレバー３ｆを有する。キャッチ機構６０ｆは、キャッチ１ｆとキャッチレバー３ｆとが一体構造となるように形成されている。なお、キャッチ１ｆは、遮断キャッチ２１、投入キャッチ２７を代表して示し、キャッチレバー３ｆは、遮断キャッチレバー２２、投入キャッチレバー２８を代表して示している。
【０１２６】
キャッチレバー３ｆは、円筒状に形成されている。その円筒状の外表面の中央部の一端に他の部品と係合可能なレバーが取り付けられている。当該レバーは、電磁ソレノイド２のプランジャ２ａの押し出し方向の移動により押される。
【０１２７】
キャッチ１ｆには、所定の長さまで半円筒部６１ｆが形成されている。半円筒部６１ｆにおいて、他の部品と係合可能なようにされている。他の部品は、例えば投入レバー２４などである。
【０１２８】
キャッチ１ｆにおいて、さらに、所定の長さ以降の範囲には、円筒状部６２ｆが形成されている。円筒状部６２ｆは、キャッチ１ｆが支持構造体６に対して回転可能となるように取り付けられている。
【０１２９】
以上のキャッチ機構６０ｆの構造は、例えば、図１に示す遮断キャッチレバー２２と遮断キャッチ２１とが一体構造となっているか、あるいは、図１に示す投入キャッチレバー２８と投入キャッチ２７とが一体構造となっている。
【０１３０】
キャッチ１ｆおよびキャッチレバー３ｆを一体構造とすることにより、多数回の動作によってキャッチ１ｆおよびキャッチレバー３ｆの間にガタが生じることがなく、動作安定性が損なわれるということがない。これにより、高い動作安定性を有した開閉装置操作機構を提供することができる。
【０１３１】
また、キャッチ１ｆとキャッチレバー３ｆを一体構造としたキャッチ機構６０ｆにより、電磁ソレノイド２が励磁されプランジャ２ａがキャッチレバー３ｆを押したと同時に、キャッチ１ｆに揺動を伝達することができる。このようなキャッチ機構６０ｆを用いることによって、動作の応答性を高めることができる。
【０１３２】
以上説明したように、第６の実施形態によれば、キャッチ機構を構成するキャッチおよびキャッチレバーの動作を安定させることができる開閉装置操作機構および開閉装置を提供することができる。
［他の実施形態］
以上、本発明のいくつかの実施形態を説明したが、これらの実施形態は、例として提示したものであり、発明の範囲を限定することは意図していない。例えば、開閉装置以外でも、上記の操作機構を用いる同様の装置に適用してもよい。また、各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形には、発明の範囲や要旨に含まれると同様に、特許請求の範囲に記載された発明とその均等の範囲に含まれるものである。
【符号の説明】
【０１３３】
１a、１ｂ、１ｃ、１ｄ、１ｅ、１ｆ、１００…キャッチ、２…電磁ソレノイド、２ａ…プランジャ、３ａ、３ｂ、３ｃ、３ｄ、３ｅ、３ｆ、３００…キャッチレバー、４ａ、４ｂ、４ｅ、５ｃ、５ｄ…ピン、６…支持構造体、７…投入シャフト、８…遮断ばね、９…投入ばね、１０…蓄勢機構、１１…メインレバー、１２…サブシャフト、１３…サブレバー、１４…主副連結リンク、１５…カムレバー、１６…投入カム、１７…ラッチレバー、１７ａ…ローラピン、１８…ラッチ、１９…ラッチ復帰ばね、２０…オープロップ（開プロップ）、２１…遮断キャッチ、２２…遮断キャッチレバー、２３…遮断用電磁ソレノイド、２３ａ…遮断用プランジャ、２４…投入レバー、２５…投入リンク、２６…遮断ばねリンク、２７…投入キャッチ、２８…投入キャッチレバー、２９…投入用電磁ソレノイド、２９ａ…投入用プランジャ、３０…リンク機構、３１…接点、３２…ダンパー、４０−１…遮断レバーキャッチ機構、４０−２…投入レバーキャッチ機構、４０ａ、４０ｂ、４０ｅ、５０ｃ、５０ｄ、６０ｆ、４００…キャッチ機構、４１ａ、４１ｂ、４１ｅ、４６ａ、４６ｂ、４６ｅ、５１ｃ、５６ｃ、５１ｄ、５６ｄ、６２ｆ…円筒状部、４２ａ、４２ｂ、４２ｅ、５２ｃ、５２ｄ、６１ｆ、１０１…半円筒部、４３ａ、４３ｂ、４３ｅ、４４ａ、４４ｂ、５３ｃ、５４ｃ、５３ｄ、５４ｄ…貫通孔、４５ａ、４５ｂ、５５ｃ、５５ｄ…ピン通し孔、４４ｅ…止まり穴、４５ｅ…ピン止め孔、５７ｃ…棒状部、５８ｃ…弾性部、８１…ばね受け、３３０…キー
【図１】
2015050012.tif 000003
【図２】
2015050012.tif 000004
【図３】
2015050012.tif 000005
【図４】
2015050012.tif 000006
【図５】
2015050012.tif 000007
【図６】
2015050012.tif 000008
【図７】
2015050012.tif 000009
【図８】
2015050012.tif 000010
【図９】
2015050012.tif 000011
【図１０】
2015050012.tif 000012
【図１１】
2015050012.tif 000013
【図１２】
2015050012.tif 000014
【図１３】
2015050012.tif 000015
【図１４】
2015050012.tif 000016
【図１５】
2015050012.tif 000017